(57)【要約】【課題】施工が容易であるとともに外観特性にも優れた排水管カバーを提供する。【解決手段】竪樋の下端部に連結される上側部材２と、地上に向けて突出した排水管を覆うとともに排水管と連結される下側部材３とを備え、上側部材２は、筒状で竪樋よりも大径に形成されるとともに、竪樋の下端部を内孔２ａに挿入させて竪樋の上下方向に移動可能に形成され、下側部材３は、上側部材２の内孔２ａに下方から挿入させる上側差し口３１と排水管の内孔に少なくとも一部を挿入させる下側差し口３３とを具備した筒状の胴部３Ａと、胴部３Ａの軸線３Ｊ方向中間部で胴部３Ａの径方向外側に張り出したカバー部３２とを有し、上側部材２と下側部材３とは、互いに分離して形成されているとともに連結自在に形成されている。【選択図】図１
2016023504.tif 000002
【特許請求の範囲】
【請求項１】
竪樋の下端部に連結される上側部材と、地上に向けて突出した排水管を覆うとともに前記排水管と連結される下側部材とを備え、
前記上側部材は、筒状で前記竪樋よりも大径に形成されるとともに、前記竪樋の下端部を内孔に挿入させて前記竪樋の上下方向に移動可能に形成され、
前記下側部材は、前記上側部材の内孔に下方から挿入させる一端側接続部と前記排水管の内孔に少なくとも一部を挿入させる他端側接続部とを具備した筒状の胴部と、前記胴部の軸線方向中間部で前記胴部の径方向外側に張り出したカバー部とを有し、
前記上側部材と前記下側部材とは、互いに分離して形成されているとともに連結自在に形成されていることを特徴とする排水管カバー。
【請求項２】
前記上側部材及び前記下側部材の前記一端側接続部は円筒状に形成され、
前記上側部材の一端部及び前記下側部材の前記一端側接続部のいずれか一方には雄螺子部が形成され、同他方には雌螺子部が形成され、
前記上側部材と前記下側部材とは、前記雄螺子部と前記雌螺子部との螺合により連結されることを特徴とする請求項１に記載の排水管カバー。
【発明の詳細な説明】
【技術分野】
【０００１】
本発明は、排水管カバーに関する。
【背景技術】
【０００２】
従来より、雨樋システムは、屋根の軒先に取り付けられた軒樋と、軒樋の一部に設けられる集水器と、竪樋と、地中に埋設された排水管とを備え、軒樋に流れた雨水を集水器及び竪樋を介して排水管に流出させるように構成されている。このような雨樋システムにおいて、竪樋１００と排水管４５０との間には、図４（ａ）〜（ｃ）に示した排水管カバー２００が配されている。
【０００３】
排水管カバー２００を設置するにあたっては、図４（ａ）に示すように、まず、でんでん等の取付具１５０を用いて樹脂製の竪樋１００を建物の外壁３００に取り付ける。次いで、図４（ｂ）に示すように、竪樋１００を撓ませ、竪樋１００の下端１０１と排水管４５０の上端との間にスペースを設け、排水管カバー２００に、竪樋１００を下端１０１側から挿入させる。そして、図４（ｃ）に示すように、排水管４５０の上端に排水管カバー２００の差し口２０２が当接するのを避けつつ、撓ませた竪樋１００を元に戻し、排水管４５０内に排水管カバー２００の差し口２０２を差し込む。この際、排水管カバー２００に設けられたフランジ部２０３が排水管４５０の開口を覆うように配置する。
【０００４】
しかしながら、図４（ａ）〜（ｂ）に示すような従来の方法で竪樋１００を設置した場合、竪樋１００を変形させる必要があることから、竪樋１００や取付具１５０に対して応力が加わり、これら各部材や外壁３００等に損傷が発生したりするおそれがある。
【０００５】
そこで、竪樋１００を弾性変形させた場合又は外壁３００から取り外す場合に生じる問題点を解消するため、例えば、排水管カバー２００を、軸方向で縦割りに分割できるように構成したものも提案されている（例えば、特許文献１，２を参照）。特許文献１，２に記載の排水管カバーによれば、まず、縦割り分割された一方の部材を竪樋と排水管との間に設置した後、他方の部材を一方の部材に組み付けることで、竪樋を取り外したり、あるいは変形させたりすることなく、排水管カバーを設置している。
【先行技術文献】
【特許文献】
【０００６】
【特許文献１】実開平５−０６１３３４号公報
【特許文献２】特開２００６−２０７２０６号公報
【発明の概要】
【発明が解決しようとする課題】
【０００７】
しかしながら、特許文献１，２に記載の排水管カバーは、一方の部材と他方の部材とを組み付ける作業が面倒である上に、縦割りの分割に伴う分割線が生じるため家屋に設置した場合の外観特性に劣るという問題があった。
【０００８】
本発明は上記問題に鑑みてなされたものであり、施工が容易であるとともに外観特性にも優れた排水管カバーを提供する。
【課題を解決するための手段】
【０００９】
本発明は、竪樋の下端部に連結される上側部材と、地上に向けて突出した排水管を覆うとともに前記排水管と連結される下側部材とを備え、前記上側部材は、筒状で前記竪樋よりも大径に形成されるとともに、前記竪樋の下端部を内孔に挿入させて前記竪樋の上下方向に移動可能に形成され、前記下側部材は、前記上側部材の内孔に下方から挿入させる一端側接続部と前記排水管の内孔に少なくとも一部を挿入させる他端側接続部とを具備した筒状の胴部と、前記胴部の軸線方向中間部で前記胴部の径方向外側に張り出したカバー部とを有し、前記上側部材と前記下側部材とは、互いに分離して形成されているとともに連結自在に形成されていることを特徴とする。
本発明の構成によれば、上側部材の内孔に竪樋の下端部を挿入させて上側部材を上方にスライド移動させることにより、竪樋と排水管との間を大きく空けて施工スペースを確保することができる。下側部材は、形成された施工スペースによって竪樋と排水管との間に寸法上無理なく配置し、上側部材と連結させることができる。
【００１０】
本発明の前記上側部材及び前記下側部材の前記一端側接続部は円筒状に形成され、前記上側部材の一端部及び前記下側部材の前記一端側接続部のいずれか一方には雄螺子部が形成され、同他方には雌螺子部が形成され、前記上側部材と前記下側部材とは、前記雄螺子部と前記雌螺子部との螺合により連結されるものであってもよい。
この構成によれば、上側部材と下側部材とを簡便に連結させることができる。
【発明の効果】
【００１１】
本発明は、排水管カバーを容易に取り付けることが可能になるとともに、外観特性を向上することができるという効果を奏する。
【図面の簡単な説明】
【００１２】
【図１】本発明の一実施形態である排水管カバーを説明する模式図であり、（ａ）は上側部材と下側部材とを一体化させた側面図、（ｂ）は各部材を分離させた状態を示す側面図である。
【図２】本発明の一実施形態である排水管カバーの設置方法を説明する模式図であり、（ａ）は竪樋を上側部材の内部に挿入させる工程、（ｂ）は排水管に下側部材を配置する工程、（ｃ）は上側部材と下側部材とを連結させて一体化させる工程を示した図である。
【図３】本発明の変形例の排水管カバーを説明する模式図である。
【図４】（ａ）〜（ｃ）は、従来の排水管カバーの設置方法を示した図である。
【発明を実施するための形態】
【００１３】
以下、図面を参照して本発明に係る排水管カバーの一実施形態について、図１〜図３を参照しながらその構成を説明する。
【００１４】
図２（ａ）〜（ｃ）に示すように、竪樋４０は、硬質塩化ビニール樹脂等により形成された円筒状の管部材である。この竪樋４０は、軒先に固定された不図示の軒樋に流れた雨水を地中６０に埋設された排水管５０に向けて流下させるものであり、でんでん等の取付具４５によって建物の外壁８０に固定されている。
排水管５０は、地中６０に埋め込まれているとともに、地面６１から上端部５１を突出させている。
【００１５】
図１（ａ），（ｂ）に示すように、本実施形態の排水管カバー１は、竪樋４０（図２参照。以下同様）の下端部４１に連結させる上側部材２と、地上に向けて突出した排水管５０（図２参照。以下同様。）を覆うとともに排水管５０と連結させる下側部材３とを備え、竪樋４０と排水管５０との間を接続するものである。
【００１６】
上側部材２は、一端部２２から他端部２１に亘って貫通した円筒部材で、竪樋４０よりも大径に形成されるとともに、竪樋４０の下端部４１を内孔２ａに挿入させて竪樋４０の上下方向に移動可能に形成されている。
上側部材２の一端部２２の内周面２３には、雌螺子部２３Ａが形成されている。
【００１７】
下側部材３は、上側部材２に連結自在に分離して形成された部材であり、一方向に貫通した筒状の胴部３Ａと、胴部３Ａの軸線３Ｊ方向中間部で胴部３Ａの径方向外側に張り出したカバー部３２とを有している。
胴部は、上側部材２の内孔２ａに下方から挿入させる上側差し口（一端側接続部）３１と、図２（ａ）に示す排水管５０の内孔５０ａに少なくとも一部を挿入させる下側差し口（他端側接続部）３３とを具備している。
【００１８】
上側差し口３１は、上側部材２の内径と略同寸法の外径で、上側部材２に内嵌されるように形成されている。
上側差し口３１の外周面３３ｂには、上側部材２の雌螺子部２３Ａに螺合する雄螺子部３１Ａが形成されている。
【００１９】
下側差し口３３は、図２（ａ）に示す排水管５０の内径と略同寸法の外径を有し、地面６１上にカバー部３２の下端３２ａを当接させた状態で図２（ａ）に示す排水管５０に内嵌できる長さで形成されている。
下側部材３の先端部３３ａは、テーパ形状となっており、排水管５０に挿入しやすくなっている。
【００２０】
カバー部３２は、胴部３Ａの軸線３Ｊ方向の中間部、本実施形態では下側差し口３３の上端部から胴部３Ａの径方向外側にテーパ状に張り出した後、下側差し口３３側に折れ曲がって下側差し口３３の外周面３３ｂに平行に張り出している。この構成によりカバー部３２は、下側差し口３３の上端側の一部を、その外周面３３ｂから間隔を空けて覆っている。
【００２１】
上側部材２と下側部材３とは、雌螺子部２３Ａと雄螺子部３１Ａとを螺合させることによって連結自在に形成されている。
上側部材２及び下側部材３の材質は、特に制限されないが、例えば、硬質塩化ビニール樹脂等の合成樹脂により形成されている。
【００２２】
次に、本実施形態の排水管カバー１を、竪樋４０と排水管５０との間に設置する方法について説明する。
【００２３】
まず、図２（ａ）に示すように、取付具４５を用いて竪樋４０を建物の外壁８０に固定する。この際、竪樋４０と排水管５０との間隔が、図１（ｂ）等に示す上側部材２の長さよりも大きくなるように設定する。
竪樋４０の下端部４１を上側部材２の他端部２１の内孔２ａに挿入し、上側部材２を竪樋４０の上方に向けて移動させ、下側部材３を排水管５０に設置するためのスペースを空ける。
【００２４】
図２（ｂ）に示すように、カバー部３２が上端部５１を完全に覆うとともにカバー部３２の下端３２ａが地面６１上に当接するまで、下側差し口３３を排水管５０の上端部５１に内嵌させる。この際、カバー部３２の下端３２ａが地面６１に当接することで、カバー部３２が、カバーとしての機能に加えて、ストッパーとしても機能する。
【００２５】
図２（ｃ）に示すように、竪樋４０を覆っている上側部材２を下方に移動させ、上側部材２が下側部材３の上側差し口３１に差し掛かった後に上側部材２を回転させ、上側部材２の雌螺子部２３Ａと下側部材３の雄螺子部３１Ａとを螺合させる。これにより、上側部材２と下側部材３とが確実に連結され、竪樋４０と排水管５０との間に排水管カバー１が設置された状態となる。
【００２６】
以上説明したように、排水管カバー１は、上側部材２と下側部材３とに分割されており、上側部材２に竪樋４０を挿通させて竪樋４０の上方に退避させておくことができるため、竪樋４０と排水管５０との間に下側部材３の設置スペースを十分に確保することができる。
したがって、排水管カバー１は、従来のように、竪樋４０を無理に湾曲させたり、建物の外壁８０から竪樋４０を取り外したりすることなく、竪樋４０と排水管５０との間に設置することができる。これにより、排水管カバー１は、竪樋４０や排水管カバー１自体を破損させることを回避して、簡便に設置することができるという効果が得られる。
【００２７】
また、排水管カバー１は、上側部材２と下側部材３とを螺合により連結させることができるため、連結が非常に簡便であるという効果が得られる。また、排水管カバー１の上側部材２は、従来のように縦割りで分割した構成ではないため、雨水の染み出しの懸念がない。
【００２８】
また、排水管カバー１の上側部材２と下側部材３とは、互いに分割された構成であるため、下側部材３のみを交換することで、互いに径の異なる排水管５０（図２参照），５０Ａ（図３参照）に、それぞれ対応しやすいという効果が得られる。
【００２９】
また、排水管カバー１は、上側部材２に下側部材３の上側差し口３１を挿入する構成、すなわち上側部材２の一端部２２を雌螺子部２３Ａとし、下側部材３の上側差し口３１を雄螺子部３１Ａとする構成とされている。したがって、上側部材２と下側部材３とを螺合により連結させた際に、外観的な一体感を創出することができ、外観特性を向上させることができるという効果が得られる。
【００３０】
なお、上記した実施形態において、上側部材２と下側部材３とを螺合により連結させる排水管カバー１を例示したが、本発明に係る排水管カバー１に備えられる上側部材２と下側部材３とは、螺合以外の連結手段によって連結されるものであってもよい。この場合の連結手段としては、例えば、バヨネット構造や、スナップフィット（登録商標）等、従来公知の嵌合構造が挙げられる。
このような構成とすることにより、例えば、竪樋４０が円筒形以外の多角形の管部材である場合に、上側部材２及び下側部材３の上側差し口３１を、竪樋４０の断面形状に合わせて形成しても、上側部材２と下側部材３とを簡便に連結させることができるという効果が得られる。
【００３１】
また、本実施形態の排水管カバー１においては、上側部材２を雌螺子部２３Ａとし、下側部材３を雄螺子部３１Ａとする構成を例示したが、上側部材２が雄螺子部を有し、下側部材３が雌螺子部を有した構成であってもよい。
【符号の説明】
【００３２】
１…排水管カバー
２…上側部材
２ａ…内孔
２２…一端部
２３…内周面（一端部）
２３Ａ…雌螺子部
３…下側部材
３Ａ…胴部
３Ｊ…軸線
３１…上側差し口（一端側接続部）
３１Ａ…雄螺子部
３２…カバー部
３３…下側差し口（他端側接続部）
４０…竪樋
４１…下端部
５０…排水管
５０ａ…内孔。
【図１】
2016023504.tif 000003
【図２】
2016023504.tif 000004
【図３】
2016023504.tif 000005
【図４】
2016023504.tif 000006